(57)【要約】【課題】見栄えが良く、確実に止水することができる便器洗浄ノズルを提供する【解決手段】便器洗浄ノズル２０は、水洗便器の水封部５を形成する壁面１０に設けられた貫通孔１１に取り付けられ、洗浄水を噴出する。便器洗浄ノズル２０は、噴出口３１及び噴出口３１の周囲に延びる鍔部３２を有する先端部３０と、先端部３０の後方に延び、噴出口３１に連通する給水路４１を形成する接続管部４０とを備えたノズル本体を具備している。また、便器洗浄ノズル２０は、中央に接続管部４０を挿通する挿通孔２２Ｈを有し、鍔部３２と貫通孔１１の周囲の壁面１０との間に挟持されるパッキン２２を具備している。鍔部３２は、パッキン２２の前方及び側方を包囲し、外周縁部の後端面３４Ａが壁面１０の前面に当接するように形成されている。【選択図】図３
2010106447.tif 000002
【特許請求の範囲】
【請求項１】
水洗便器の水封部を形成する壁面に設けられた貫通孔に取り付けられ、洗浄水を噴出する便器洗浄ノズルにおいて、
噴出口及び該噴出口の周囲に延びる鍔部を有する先端部と、該先端部の後方に延び、該噴出口に連通する給水路を形成する接続管部とを備えたノズル本体と、
中央に該接続管部を挿通する挿通孔を有し、該鍔部と前記貫通孔の周囲の前記壁面との間に挟持されるパッキンとを具備し、
該鍔部は、該パッキンの前方及び側方を包囲し、外周縁部の後端面が該壁面の前面に当接するように形成されていることを特徴とする便器洗浄ノズル。
【請求項２】
前記鍔部の前面は、前記噴出口の周囲が前方に突出し、周縁に向かうに従い後方に後退するように傾斜していることを特徴とする請求項１記載の便器洗浄ノズル。
【請求項３】
前記接続管部は、前記貫通孔に取り付けられた際、外周面が前記貫通孔の内周面との間に隙間を有し、該隙間に前記パッキンの内周縁部が充填可能であることを特徴とする請求項１又は２記載の便器洗浄ノズル。
【請求項４】
前記パッキンは、前記鍔部の後面に当接する前面が平面であり、内周側から外周側に向けて薄肉になるよう前記壁面の前面に当接する後面が傾斜していることを特徴とする請求項１乃至３のいずれか１項記載の便器洗浄ノズル。
【請求項５】
前記ノズル本体は、前記先端部を形成する第１部材と、前記接続管部を形成する第２部材とを接着して形成されていることを特徴とする請求項１乃至４のいずれか１項記載の便器洗浄ノズル。
【発明の詳細な説明】
【技術分野】
【０００１】
本発明は便器洗浄ノズルに関する。
【背景技術】
【０００２】
特許文献１には、従来の便器洗浄ノズルが開示されている。この便器洗浄ノズルは、水洗便器の水封部を形成する壁面に設けられた貫通孔に取り付けられ、洗浄水を噴出する。便器洗浄ノズルはノズル本体を有している。ノズル本体は、噴出口が開口し、噴出口の周囲に延びる鍔部を有する先端部を備えている。鍔部は平坦なリング状に形成されている。また、ノズル本体は、先端部の後方に延び、噴出口に連通する給水路を形成する接続管部を備えている。鍔部の後面と、貫通孔の周囲の壁面の前面との間には、接続管部に挿通されたパッキンが挟持されている。これにより、水封部の貯留された封水が貫通孔とノズル本体との間から漏水することを防止している。
【０００３】
【特許文献１】特開２００２−１０６０４１号公報
【発明の開示】
【発明が解決しようとする課題】
【０００４】
しかし、従来の便器洗浄ノズルでは、パッキンが鍔部と壁面との間から露出してしまう。特に、漏水を防止するために、パッキンを鍔部と貫通孔の周囲の壁面との間で強く挟持すると、パッキンが押しつぶされ、鍔部の外周縁よりもはみ出してしまう虞がある。パッキンはシリコンゴム等により形成されているためカビが生えることがある。パッキンが露出したり、はみ出した状態では、パッキンに生えたカビが便器の使用者等に視認され、見栄えが悪くなる。また、鍔部と壁面との間でパッキンを挟持しているため、鍔部の外周縁と壁面との間に隙間が生じる。このため、この隙間に汚物等の汚れが溜まり易く、溜まった汚れは掃除により除去し難い。このため、さらに見栄えが悪くなる。また、パッキンを視認され難くするために鍔部の外周縁よりもはみ出さないように鍔部の背面と貫通孔の周囲の壁面とによるパッキンの挟持を弱くすると漏水してしまう虞がある。
【０００５】
本発明は、上記従来の実情に鑑みてなされたものであって、見栄えが良く、確実に止水することができる便器洗浄ノズルを提供することを解決すべき課題としている。
【課題を解決するための手段】
【０００６】
本発明の便器洗浄ノズルは、水洗便器の水封部を形成する壁面に設けられた貫通孔に取り付けられ、洗浄水を噴出する便器洗浄ノズルにおいて、
噴出口及び該噴出口の周囲に延びる鍔部を有する先端部と、該先端部の後方に延び、該噴出口に連通する給水路を形成する接続管部とを備えたノズル本体と、
中央に該接続管部を挿通する挿通孔を有し、該鍔部と前記貫通孔の周囲の前記壁面との間に挟持されるパッキンとを具備し、
該鍔部は、該パッキンの前方及び側方を包囲し、外周縁部の後端面が該壁面の前面に当接するように形成されていることを特徴とする。
【０００７】
この便器洗浄ノズルでは、パッキンは鍔部により包囲されるため、外部に露出しない。このため、仮にパッキンにカビが生えたとしても水洗便器の使用者等から視認されず、見栄えのよい状態を保つことができる。また、鍔部の外周縁部の後端面を壁面に当接させるため、隙間が生じず、汚物等の汚れが溜まり難い。このため、掃除を楽に行なうことができる。また、鍔部の外周縁部の後端面が壁面に当接するため、パッキンを適正な力で圧縮し、挟持することができる。このため、パッキンにより止水を確実に行なうことができる。
【０００８】
したがって、本発明の便器洗浄ノズルは、見栄えが良く、確実に止水することができる。
【０００９】
前記鍔部の前面は、前記噴出口の周囲が前方に突出し、周縁に向かうに従い後方に後退するように傾斜し得る。この場合、便器洗浄中の水封部内の水は、便器洗浄ノズルの先端部の近傍をスムーズに流れる。このため、先端部の近傍に汚物等が滞留することを防止することができる。また、鍔部の外周縁部が薄く形成されているので、汚物等が溜まり難い。このため、便器洗浄ノズルの先端部の周囲を汚れ難くすることができる。噴出口の周囲が前方に突出しているため、接続管部の給水路から噴出口までの距離が長くなる。これにより、噴出口から噴出される洗浄水の直進性が良好になる。このため、噴出口から噴出される洗浄水により、水封部内の汚物等を排水路へ強力に搬出することができる。
【００１０】
前記接続管部は、前記貫通孔に取り付けられた際、外周面が前記貫通孔の内周面との間に隙間を有し、該隙間に前記パッキンの内周縁部が充填可能であり得る。この場合、鍔部の後面と貫通孔の周囲の壁面の前面との間のみならず、接続管部の外周面と貫通孔の内周面との間でパッキンを挟持することができる。このため、より確実に止水をすることができる。
【００１１】
前記パッキンは、前記鍔部の後面に当接する前面が平面であり、内周側から外周側に向けて薄肉になるよう前記壁面の前面に当接する後面が傾斜し得る。この場合、パッキンの外周部は、鍔部の後面と貫通孔の周囲の壁面の前面との間で確実に挟持される。また、鍔部の後面と貫通孔の周囲の壁面の前面との間隔が狭くし、パッキンを圧縮するに従い、パッキンは内周方向に向けて迫り出すように変形する。これにより、接続管部の外周面と貫通孔の内周面との間にパッキンが充填され、この部分でも止水することができるため、より確実に止水することができる。
【００１２】
前記ノズル本体は、前記先端部を形成する第１部材と、前記接続管部を形成する第２部材とを接着して形成され得る。この場合、第１部材と第２部材とを別々に成形するため、鍔部を精度良く形成することができる。つまり、鍔部の外周縁部の後端面を同一平面状に形成することができるため、鍔部の外周縁部の後端面を壁面に隙間なく当接させることができる。このため、隙間が生じず、汚物等の汚れが溜まり難い。このため、掃除を楽に行なうことができる。
【００１３】
また、先端部は水封部内に露出し、便器使用者等に視認されることがあるため、色合い等の外観を重視しなければならず、そのために製造コストが高くなる。一方、接続管部は便器使用者等に視認されることがないため、色合い等は関係なく、製造コストを安くできる。このため、ノズル本体を第１部材と第２部材とにより形成することにより、１部材で形成した場合に比べ、製造コストを安くすることができる。また、容易に製造することができる。
【発明を実施するための最良の形態】
【００１４】
以下、本発明の便器洗浄ノズルを水洗便器に取り付けて具体化した実施例１を図面を参照しつつ説明する。
【００１５】
実施例１の水洗便器は、図１に示すように、便器本体１を有している。便器本体１は、上方に開口する鉢部２を有している。鉢部２の上端部には、内方に突出するリム３が形成されている。リム３の下方には、内方に向けて緩やかな下り勾配を有する棚部４が形成されている。棚部４には、図示しない第１給水管から洗浄水が供給される。棚部４に供給された洗浄水は、一方向に棚部４の上面を流れ、徐々に鉢面に沿って旋回しながら鉢部２の上方から下方に流下する。
【００１６】
便器本体１は、鉢部２の下端に連通し、鉢部２の後部に沿って上昇する上昇排水路６を有している。鉢部２及び上昇排水路６により、洗浄水が滞留する水封部５が形成されている。また、便器本体１は、上昇排水路６の上端に連通し、垂直下方に下降する下降排水路７が形成されている。下降排水路７の下端開口８は、排水ソケット９を介して床面に開口する図示しない排水管の流入口に連通されている。
【００１７】
水封部５を形成する壁面１０には、上昇排水路６の流入口６Ａより下流側であり、鉢部２の下部に貫通孔１１が設けられている。貫通孔１１には、洗浄水を噴出する便器洗浄ノズル２０が取り付けられている。便器洗浄ノズル２０は、第２給水管５０に接続され、洗浄水が供給される。
【００１８】
便器洗浄ノズル２０は、図２に示すように、ノズル本体２１、パッキン２２、ノズル本体の位置決めをする固定用パッキン２３、平座金２４及び締付ナット２５から構成されている。
【００１９】
ノズル本体２１は、先端に開口する噴出口３１と、噴出口３１の周囲に延び、噴出口３１を中心にした円盤形状の鍔部３２とを有する先端部３０を備えている。また、ノズル本体２１は、先端部３０の後方に延び、噴出口３１に連通する給水路４１を形成する接続管部４０を有している。接続管部４０は後部が９０°横方向に屈曲している。ノズル本体２１の流入口４２は、横方向に開口している。このため、第２給水管５０を大きく屈曲させずに便器洗浄ノズル２０に接続することができる。よって、第２給水管５０の取り回しが容易となり、接続作業も容易に行なうことができる。
【００２０】
ノズル本体２１は、先端部３０を形成する第１部材３０Ａ及び接続管部４０を形成する第２部材４０Ａの２部材から形成されている。第１部材３０Ａは、先端部３０の後方に延びて形成された挿入管部３０Ｂを有している。挿入管部３０Ｂは、第２部材４０Ａの先端側に形成された接続管部４０Ｂに内嵌され、溶着されている。このようにして、第１部材３０Ａと第２部材４０Ａとは一体化されている。第１部材３０Ａと第２部材４０Ａとを別々に成形することができるため、鍔部３２の外周縁部の後端面３４Ａが同一平面状に精度良く形成されている。また、接続管部４０を屈曲させることができる。
【００２１】
第１部材３０Ａの先端部３０は水封部５内に露出し、便器使用者等に視認されることがあるため、色合い等の外観を重視して形成されている。このため、製造コストは高くなってしまう。一方、第２部材４０Ａは便器使用者等に視認されることがないため、色合い等は関係なく形成されている。このため、製造コストを安くすることができる。
【００２２】
鍔部３２の前面３３は、噴出口３１の周囲が前方に突出し、周縁に向かうに従い後方に後退するように傾斜している。更に詳しくは、鍔部３２の前面３３は、中央部である噴出口３１の周囲は前方に膨らむ湾曲面に形成され、中央部に連続する中間部は後方に凹む湾曲面に形成され、中間部に連続する周縁部は斜め前方へ膨らむ湾曲面に形成されている。
【００２３】
鍔部３２の後面３４は、後方に突出する外周縁部の後端面３４Ａと、後端面３４Ａよりも凹んだ内側後面３４Ｂから形成されている。内側後面３４Ｂは平坦に形成されている。
【００２４】
パッキン２２は、中央に接続管部４０を挿通する挿通孔２２Ｈを有している。また、パッキン２２は、鍔部３２の内側後面３４Ｂに当接する前面２２Ａが平面であり、内周側から外周側に向けて薄肉になるよう後面２２Ｂが傾斜している。
【００２５】
固定用パッキン２３は、中央に接続管部４０を挿通する挿通孔２３Ｈを有している。固定用パッキン２３は、前方の外周部が後方に向けて拡がる傾斜面２３Ａに形成されている。傾斜面２３Ａは、挿通孔２３Ｈの中心軸に対して対称形状に形成されている。また、固定用パッキン２３は、後面２３Ｂが平面である。
【００２６】
このように構成された便器洗浄ノズル２０は、図３に示すように、貫通孔１１に取り付けられる。便器洗浄ノズル２０の貫通孔１１への取り付けは以下のように行なわれる。
【００２７】
先ず、ノズル本体２１の接続管部４０を流入口４２側からパッキン２２の挿通孔２２Ｈに挿入し、パッキン２２の前面２２Ａをノズル本体２１の鍔部３２の内側後面３４Ｂに当接させる。次に、鉢部２側からノズル本体２１の接続管部４０を貫通孔１１に挿入する。接続管部４０は、貫通孔１１を挿通し、壁面１０の裏側に現れる。壁面１０の裏側に現れた接続管部４０に対し、固定用パッキン２３、平座金２４及び締付ナット２５の順に嵌め込む。締付ナット２５をねじ込むに従い、固定用パッキン２３の傾斜面２３Ａが貫通孔１１に入り込む。傾斜面３２Ａは、挿通孔２３Ｈの中心軸に対して対称形状に形成されているため、挿通孔２３Ｈは、貫通孔１１と同軸上に位置する。このため、挿通孔２３Ｈに挿入された接続管部４０も貫通孔１１と同軸上に位置させることができる。この状態では、接続管部４０の外周面４３と貫通孔１１の内周面との間には隙間が形成されている。
【００２８】
また、締付ナット２５をねじ込む従い、パッキン２２の外周部は、鍔部３２の内側後面３４Ｂと貫通孔１１の周囲の壁面１０の前面との間で挟持され、この部分で止水することができる。さらに、締付ナット２５を締付けると、パッキン２２は圧縮され、パッキン２２の内周方向に向けて迫り出すように変形する。これにより、接続管部４０の外周面４３と貫通孔１１の内周面との間にもパッキン２２が充填され、この部分でも止水することができるため、より確実に止水することができる。
【００２９】
締付ナット２５をねじ込んでいくと、鍔部３２の後端面３４Ａが壁面１０の前面に当接する。これにより、締付ナット２５の締め付けを完了する。このため、パッキン２２を適正な力で圧縮し、挟持することができるため、パッキン２２により止水を確実に行なうことができる。また、この状態では、パッキン２２は鍔部３２に包囲されるため、外部に露出しない。このため、仮にパッキンにカビが生えたとしても水洗便器の使用者等から視認されず、見栄えのよい状態を保つことができる。また、ノズル本体２１を第１部材３０Ａと第２部材４０Ａとから形成し、鍔部３２の外周縁部の後端面３４Ａが同一平面状に精度良く形成されているため、鍔部３２の外周縁部の後端面３４Ａが壁面に当接し、隙間が生じない。このため、汚物等の汚れが溜まり難い。よって、掃除を楽に行なうことができる。
【００３０】
したがって、実施例１の便器洗浄ノズルは、見栄えが良く、確実に止水をすることができる。
【００３１】
鍔部３２の前面３３は、噴出口３１の周囲が前方に突出し、周縁に向かうに従い後方に後退するように傾斜しているため、便器洗浄中の水封部５内の水は、先端部３０の近傍をスムーズに流れる。このため、先端部３０の近傍に汚物等が滞留することを防止することができる。また、鍔部３２の外周縁部が薄く形成されているので、汚物等が溜まり難い。よって、先端部３０の周囲を汚れ難くすることができる。
【００３２】
噴出口３１の周囲が前方に突出しているため、接続管部４０の給水路４１から噴出口３1までの距離が長い。これにより、噴出口３１から噴出される洗浄水の直進性が良好になる。このため、上昇排水路６に沿って噴出口３１から洗浄水を勢い良く噴出させることができる。このため、水封部５内の汚物等を下降排水路７に向けて強力に排出することができる。
≪他の実施例≫
【００３３】
本発明は上記記述及び図面によって説明した実施例１に限定されるものではなく、例えば次のような実施例も本発明の技術的範囲に含まれる。
（１）上記実施例１では、ノズル本体を第１部材及び第２部材の２部材から形成し、一体化しているが、１部材により形成してもよい。
（２）上記実施例１では、第１部材と第２部材とを溶着しているが、接着剤等により接着してもよい。
（３）上記実施例１では、鍔部の外周縁部が後方に突出するように形成されているが、鍔部の後面を徐々に後方に傾斜するように形成されていてもよい。
（４）上記実施例１では、接続管部が屈曲しているが、屈曲せず、まっすぐ延びていてもよい。
（５）上記実施例１では、鍔部の後面と貫通孔の周囲の壁面の前面とに挟持されるパッキンは、内周側から外周側に向けて薄肉になるように後面が傾斜しているが、肉厚が一定の平パッキンであってもよい。
【産業上の利用可能性】
【００３４】
本発明は水洗便器に利用可能である。
【図面の簡単な説明】
【００３５】
【図１】実施例１の洋風便器をあらわす断面図である。
【図２】実施例１の便器洗浄ノズルをあらわす分解図である。
【図３】実施例１の便器洗浄ノズルの取り付け状態を示す断面図である。
【符号の説明】
【００３６】
５…水封部
１０…壁面
１１…貫通孔
２０…便器洗浄ノズル
２１…ノズル本体
２２…パッキン
２２Ｈ…挿通孔
３０…先端部
３０Ａ…第１部材
３１…噴出口
３２…鍔部
４０…接続管部
４０Ａ…第２部材
４１…給水路
【図１】
2010106447.tif 000003
【図２】
2010106447.tif 000004
【図３】
2010106447.tif 000005